(57)【要約】  原動機の回転出力をトランスミッションの回転入力に伝えるための発進装置。発進装置は、原動機の回転出力部材に接続すされたフロントカバーと、トランスミッションの回転入力に接続された出力ハブとを含む。リアカバーがフロントカバーと協働し、インペラとタービンが配置される空間を形成する。タービンと出力ハブとの間にダンパーが連結され、フロントカバーおよびリアカバーのうちの一方と一緒の回転のためにダンパーを切断可能にロックするために、ダンパーにロックアップクラッチが連結されている。クラッチアセンブリをダンパーに接続するのはクラッチプレートであり、そこでは、クラッチアセンブリのクラッチドラムがダンパーの入力部材と一体に形成されている。
2021513042.tif 000002
【特許請求の範囲】
【請求項１】
原動機の回転出力をトランスミッションの回転入力に伝えるための発進装置（１０）であって、
前記原動機の前記回転出力部材に接続するように構成されたフロントカバー（１２）と、
中心軸を規定し、前記トランスミッションの前記回転入力に接続するように構成された出力ハブ（２６）と、
前記フロントカバー（１２）に接続され、前記フロントカバー（１２）と一緒に回転可能なリアカバー（１６）と、
前記フロントカバー（１２）と前記リアカバー（１６）との双方により形成される容器内にのびる複数のインペラブレード（２０）を有するインペラ（１８）と、
前記容器内に配置されたタービン（２２）であって、前記インペラブレード（２０）とほぼ向かい合った複数のタービンブレード（２４）を、油圧作動油が前記インペラブレード（２０）から前記タービンブレード（２４）に向かって流れるように含む前記タービン（２２）と、
前記発進装置（１０）の前記出力ハブ（２６）と前記タービン（２２）との間に連結されたダンパー（４０）と、
前記ダンパー（４０）に連結され、前記フロントカバー（１２）および前記リアカバー（１６）のうちの一方と一緒の回転のために前記メインダンパー（４０）を切断可能にロックするように構成されたロックアップクラッチアセンブリ（５２）と、
を含み、
前記ロックアップクラッチアセンブリ（５２）は、前記クラッチアセンブリ（５２）のクラッチドラム（５６）と前記ダンパー（４０）の複数の入力部材（５０）とを統合したクラッチプレート（７８）によって前記ダンパー（４０）に接続され、
前記クラッチプレート（７８）は、前記ダンパー（４０）のハブフランジ（４４）に対して移動可能であるとともに、前記ハブフランジ（４４）によって支持され、
前記クラッチプレート（７８）の支持は、前記クラッチプレート（７８）に形成された円周方向の複数の溝（８０）を通ってのびる複数のストップピン（８２）を含み、
前記複数のストップピン（８２）は、前記クラッチプレート（７８）の一方の側にあるリングプレート（８４）を、前記クラッチプレート（７８）の他方の側にある前記ハブフランジ（４４）で固定し、前記クラッチプレート（７８）を案内する、発進装置（１０）。
【請求項２】
前記クラッチプレート（７８）は単一物であり、前記クラッチドラム（５６）を形成する複数の部分が一端に、前記複数の入力部材（５０）を形成する複数の部分が他端に取り込まれている、請求項１に記載の発進装置（１０）。
【請求項３】
前記クラッチプレート（７８）は、前記クラッチドラム（５６）と前記複数の入力部材（５０）との間で連続している、請求項１または２に記載の発進装置（１０）。
【請求項４】
前記クラッチプレート（７８）は、前記クラッチドラム（５６）と前記複数の入力部材（５０）との間で半径方向に連続している、請求項１または２に記載の発進装置（１０）。
【請求項５】
前記クラッチドラム（５６）と複数の入力部材（５０）は軸方向の延長部であり、前記クラッチプレート（７８）の半径方向にのびる部分によって接続されている、請求項１〜４のいずれか１項に記載の発進装置（１０）。
【請求項６】
前記複数の円周方向にのびる溝（８０）が、前記クラッチプレート（７８）の前記半径方向にのびる部分に形成されている、請求項５に記載の発進装置（１０）。
【請求項７】
前記溝（８０）は各々、互いに隣接する前記入力部材（５０）の間に配置されている、請求項６に記載の発進装置（１０）。
【請求項８】
前記ハブフランジ（４４）は、前記出力ハブ（２６）を形成する複数の部分を含む、請求項５または６に記載の発進装置（１０）。
【請求項９】
前記クラッチプレート（７８）は、４つ未満の入力部材（５０）を含む、請求項１〜８のいずれか１項に記載の発進装置（１０）。
【請求項１０】
前記ダンパー（４０）は、４つ未満の円周方向にのびるスプリング（４８）を含む、請求項１〜９のいずれか１項に記載の発進装置（１０）。
【請求項１１】
前記クラッチドラム（５６）から半径方向内側にのびる複数のフリクションプレート（６０）を有する、請求項１〜１０のいずれか１項に記載の発進装置（１０）。
【請求項１２】
前記クラッチドラム（５６）は、前記複数の入力部材（５０）の半径方向内側に配置されている、請求項１〜１１のいずれか１項に記載の発進装置（１０）。
【発明の詳細な説明】
【技術分野】
【０００１】
本発明は、広義には、自動車のオートマチックトランスミッションと一緒に使用されるトルクコンバーターなどの発進装置に関する。特に、本発明は、そのような発進装置の、ダイナミックダンパーとしても知られるスプリング付き同調質量ダンパーに関する。
【背景技術】
【０００２】
一般に、オートマチックトランスミッションを備える車両では、エンジンの出力をオートマチックトランスミッションと接続するのにトルクコンバーターが利用されている。代表的なトルクコンバーターを、図１に示す。
【０００３】
図示のように、トルクコンバーターは、エンジンのフレックスプレート（図示せず）に接続されてフレックスプレートと一緒に回転するフロントカバーを含む。フロントカバーには、バックカバーが接続されている。バックカバーは、インペラと統合され、インペラを回転させる。インペラには、フロントカバーとリアカバーによって形成された容器内で内側にのびる一連のブレードまたは羽根が含まれる。インペラが回転している間、その容器内の油圧作動油が遠心力で半径方向外側に流れた後、ブレードとインペラの形状がゆえに前方（図１の左側）に向かって流れ、そこで作動油がタービンのブレードにぶつかる。タービンブレードの半径方向外側の部分が、インペラブレードの半径方向外側の部分と向かい合っているため、タービンブレードにはインペラブレードから油圧作動油が送られる。
【０００４】
油圧作動油の力とタービンブレードの形状がゆえにタービンが回転し、油圧作動油の流れる方向が半径方向内側（図１では下方）に変わる。その後、油圧作動油はインペラに向かって戻る。タービンはハブにも取り付けられており、このハブがオートマチックトランスミッションの入力軸に取り付けられている。このため、タービンとハブが回転すると、入力軸とオートマチックトランスミッションも回転する。
【０００５】
トルクを増幅できるようにするために、インペラブレードの下部とタービンの下部との間には、ワンウェイクラッチに取り付けられたステータがある。ステータは、インペラの回転を妨げることなく、作動油がインペラに送られるようにタービンからの作動油が流れる方向を変える。この方向転換によって、トルクが増幅される。上記の説明から明らかなように、インペラ、タービンおよびステータは、トルクコンバーターにおける流体力学的カップリングまたは回路を形成する。
【０００６】
タービンの前方、タービンとフロントカバーとの間で、トルクコンバーターには、クラッチアセンブリとダイナミックダンパーも含まれる。このうちダイナミックダンパーは、動吸振器と呼ばれることもある。図１から明らかなように、クラッチアセンブリは、トルクコンバーターの前方すなわちエンジン側に配置され、締結時には、タービンの回転をフロントカバーの回転およびエンジンの出力にロックする。ロックアップがなされている間ならびに、クラッチアセンブリの締結および解放時には、トルクコンバーターを介して、エンジンの回転速度の変動（oscillation）（変動（fluctuation）および変動（variation））が伝わる可能性がある。この振動と、それに伴って生じる騒音（ＮＶ）が自動車の操縦者によって感得され、操縦者に聞こえることが多い。操縦者が経験するＮＶを制限するために、発進装置には、ダイナミックダンパー／動吸振器が設けられている。
【発明の概要】
【発明が解決しようとする課題】
【０００７】
従来のダンパーは、トルクをドライブプレートに伝達するクラッチドラムを有する。ドライブプレートは、クラッチドラムからトルクを受け、そのトルクをダンパーのスプリングに出力する。スプリングは、トルクをハブフランジに伝達する。ハブフランジは、このハブフランジに設けられた溝と、溝を通って挿入されたストップピンとを介して、ドライブプレートに対してねじり運動可能である。ストップピンは、スプリングを支える支持板も通ってのびている。ハブフランジに溝が設けられていることで、ハブフランジが弱くなり、スプリングが小さくなり、ハブフランジとドライブプレートとの間の角回転が小さくなる。これは、ダンパーレートが上がることを意味する。ハブフランジの溝とストップピンとの間の隙間がゆえ、クラッチプレートが半径方向に移動する可能性があり、そのことがクラッチの動作に悪影響を及ぼす場合がある。さらに、スプリングとドライブプレートとの間の相対的な動きが原因で、大きなヒステリシストルクが生じる可能性があり、支持板は、クラッチで動作するピストンと結果として生じるドライブプレートの動きに対して、軸方向に反応することが求められる。このため、上述したような従来のダンパー構造でのスペースとパッケージングの制約下では、大きなスプリングレートとヒステリシスが求められる。
【課題を解決するための手段】
【０００８】
公知の技術分野における様々な欠点および他の制約を解消するために、本発明は、原動機の回転出力をトランスミッションの回転入力に伝えるための発進装置であって、原動機の回転出力部材に接続するように構成されたフロントカバーと、中心軸を規定し、トランスミッションの回転入力に接続するように構成された出力ハブと、フロントカバーに接続され、フロントカバーと一緒に回転可能なリアカバーと、フロントカバーとリアカバーとの双方により形成される容器内にのびる複数のインペラブレードを有するインペラと、この容器内に配置されたタービンであって、インペラブレードとほぼ向かい合った複数のタービンブレードを、油圧作動油がインペラブレードからタービンブレードに向かって流れるように含むタービンと、発進装置の出力ハブとタービンとの間に連結されたダンパーと、ダンパーに連結され、フロントカバーおよびリアカバーのうちの一方と一緒の回転のためにメインダンパーを切断可能にロックするように構成されたロックアップクラッチと、を含み、クラッチアセンブリが、当該クラッチアセンブリのクラッチドラムとダンパーの複数の入力部材とを統合したクラッチプレートによってダンパーに接続されている、発進装置を提供する。
【０００９】
本発明の別の態様では、原動機の回転出力をトランスミッションの回転入力に伝えるための発進装置であって、原動機の回転出力部材に接続するように構成されたフロントカバーと、中心軸を規定し、トランスミッションの回転入力に接続するように構成された出力ハブと、フロントカバーに接続され、フロントカバーと一緒に回転可能なリアカバーと、フロントカバーとリアカバーとの双方により形成される容器内にのびる複数のインペラブレードを有するインペラと、この容器内に配置されたタービンであって、インペラブレードとほぼ向かい合った複数のタービンブレードを、油圧作動油がインペラブレードからタービンブレードに向かって流れるように含むタービンと、発進装置の出力ハブとタービンとの間に連結されたダンパーと、ダンパーに連結され、フロントカバーおよびリアカバーのうちの一方と一緒の回転のためにダンパーを切断可能にロックするように構成されたロックアップクラッチと、クラッチアセンブリをダンパーに接続するクラッチプレートであって、ダンパーの複数の入力部材と一体に形成されたクラッチアセンブリのクラッチドラムを含むクラッチプレートと、を含む、発進装置。
【００１０】
別の態様では、クラッチプレートは単一物であり、クラッチドラムを形成する複数の部分が一端に、複数の入力部材を形成する複数の部分が他端に取り込まれている。
【００１１】
さらに別の態様では、クラッチプレートは、クラッチドラムと複数の入力部材との間で連続している。
【００１２】
さらに別の態様では、クラッチプレートは、クラッチドラムと複数の入力部材との間で半径方向に連続している。
【００１３】
追加の態様では、クラッチドラムと複数の入力部材は軸方向の延長部であり、クラッチプレートの半径方向にのびる部分によって接続されている。
【００１４】
別の態様では、クラッチプレートの半径方向にのびる部分が、円周方向にのびる複数の溝を含む。
【００１５】
別の態様では、溝は各々、互いに隣接する入力部材の間に配置されている。
【００１６】
さらに別の態様では、クラッチプレートは、溝を通ってのびるストップピンによってダンパーのハブフランジに移動可能に取り付けられ、ハブフランジは、出力ハブを形成する複数の部分を含む。
【００１７】
さらに別の態様では、クラッチプレートはリングプレートとハブフランジとの間に配置され、ストップピンは、リングプレートと噛み合う。
【００１８】
追加の態様では、クラッチプレートは、４つ未満の入力部材を含む。
【００１９】
さらに別の態様では、ダンパーは、円周方向にのびる４つ未満のスプリングを含む。
【００２０】
別の態様では、クラッチドラムから半径方向内側にのびる複数のフリクションプレートを有する。
【００２１】
追加の態様では、クラッチドラムは、入力部材の半径方向内側に配置されている。
【００２２】
本発明のさらに別の目的、特徴および利点は、本明細書に添付され、本明細書の一部をなす図面および特許請求の範囲を参照して以下の説明を検討した後、当業者に容易に明らかになるであろう。
【図面の簡単な説明】
【００２３】
【図１】図１は、トルクコンバーターとして知られた構造で、上述した、そのような装置を軸方向断面で示す部分図である。
【図２】図２は、本発明の原理を具体化した発進装置を軸方向に半分にした断面で示す部分図である。
【図３】図３は、図２に示す発進装置で利用されるクラッチプレートの部分軸方向図である。
【発明を実施するための形態】
【００２４】
ここで図面を参照すると、本発明の原理を具体化した発進装置を概略的に図２に示し、この装置について図面を参照して説明する。以下の説明では、「上」や「下」などの方向を示す用語を使用する場合がある。これらの用語は、図面に示した要素の向きに照らして読むことを意図したものである。したがって、「上」は図の一番上に向かう方向を示し、「下」は図の一番下に向かう方向を示す。「左」および「右」という用語も同様に解釈される。「内側に（inward）」または「内（inner）」および「外側に（outward）」または「外（outer）」という用語は、おおむね言及される部分の中心軸に向かうか中心軸から離れる方向を示し、そのような軸が図面に示されているか否かを問わない。したがって、軸方向の面とは、軸方向に向いている面である。言葉をかえると、軸方向の面は、中心軸に沿う方向を向いている。また、半径方向の面は、おおむね中心軸から離れるか中心軸に向かって半径方向に面することになる。しかしながら、これらの相対的な用語は、説明の便宜上用いるものであり、特定の向きを要求することを意図したものではないことが理解されるであろう。実用上は、本明細書で用いる方向についての言及が、装置の対応するコンポーネントの設置状態や向きと必ずしも対応しない場合がある。
【００２５】
「接続された」、「結合された」、「取り付けられた」または「相互接続された」など、取り付けや連結などに関する用語は、複数の構造体同士が、直接または介在する構造体を介して間接的に、互いに固定または取り付けられている関係をいう。これらの取り付けや関係は、特に明記されていない限り、移動可能であってもよいし、固定されていてもよい。「統合」とは、複数の要素が１つのユニットを形成するように互いに接続されていることを意味する。「単一物」とは、要素のすべての部分が一緒に形成される単一のワンピース要素を意味する。したがって、「単一物」という用語は、「統合」という用語と区別されるべきである。
【００２６】
ここで図２を参照すると、本発明の原理を具体化した発進装置が、概略的に符号１０で示されている。発進装置１０は、複数の取付機構１４を有するフロントカバー１２を含む。取付機構１４は、例えば、フロントカバー１２の周囲に間隔をあけて配置され、発進装置１０を、モーターなどの原動機（図示せず）のアウトレットまたはフレックスプレートに接続するように構成された、ねじ付きスタッドなどである。モーターなどの原動機としては、内燃機関、電気モーター、他の動力源またはそれらの組み合わせがあげられるが、これらに限定されるものではない。また、その半径方向の周囲において、フロントカバー１２は、溶接１７または他の適切な手段によってリアカバー１６に固定され、液密の容器を形成している。フロントカバー１２は発進装置１０のエンジン側をなし、リアカバー１６は発進装置１０のトランスミッション側をなす。フレックスプレートが原動機のクランクシャフト（図示せず）によって回転すると、フロントカバー１２とリアカバー１６が一緒に回転する。
【００２７】
内部的には、リアカバー１６には、インペラ１８を形成するように一連のブレードまたは羽根２０が設けられている。リアカバー１６が回転している間、オートマチックトランスミッションから第１の経路に沿って油圧作動油が供給され、インペラ１８の回転しているブレード２０の遠心力で半径方向外側に流れる。また、ブレード２０とリアカバー１６の内面がゆえ、油圧作動油の流れが前方すなわちリアカバー１６から離れる方向に向けられる。図２では、作動油の外側に向かう動きは図の一番上に向かい、作動油の前方に向かう動きは図の左側に向かう。
【００２８】
インペラ１８のすぐ前方において、発進装置１０は、同じく一連のブレード２４で形成されたタービン２２を含む。タービン２２は、出力ハブ２６に取り付けられている。ハブ２６は、自動車のトランスミッションの回転可能な入力軸２８に接続されている。図２から明らかなように、出力ハブ２６の内径は、スプライン接続を形成するように構成されている。
【００２９】
タービン２２のブレード２４は、インペラ１８からの油圧作動油を受ける向きで配置されている。インペラ１８からの油圧作動油の力とタービンのブレード２４の形状がゆえ、タービン２２は、インペラ１８の回転方向と同一の回転方向に駆動される。タービン２２まで送られた油圧作動油は下方に流れ、流れが後方に方向転換されてインペラ１８のほうに戻る。
【００３０】
タービン２２のブレード２４の半径方向内側部分とインペラ１８のブレード２０との間に配置されているのは、ステータ３０である。ステータ３０は、タービン２２からインペラ１８に向かって戻されている油圧作動油を受ける。ステータ３０は、作動油がインペラ１８と同じ回転方向になるように、作動油の流れの方向を変える。この方向転換は、作動油が効率的にインペラ１８まで送られるとともに、インペラ１８の回転を妨げないようになされ、この方向転換によって、発進装置を伝わるトルクを増幅することができる。このフルードカップリングにより、エンジンの出力からの回転が、オートマチックトランスミッションの入力軸２８の回転として伝達される。
【００３１】
ステータ３０と統合されているのは、ステータ３０の回転を一方向に制限するワンウェイクラッチアセンブリ３２である。ワンウェイクラッチアセンブリ３２は、ステータ３０を支持する外輪３４と、内輪３６とを含む。ワンウェイクラッチアセンブリ３２の内輪３６は、オートマチックトランスミッションの入力に付随する、固定式で回転しない支持軸３８に取り付けられている。簡潔にするために、また、ワンウェイクラッチアセンブリは本発明の技術分野でよく知られているため、当業者であればワンウェイクラッチアセンブリ３２の構造と動作を容易に理解できるであろうし、よって、アセンブリ３２について本明細書でさらに詳細に説明することはしない。
【００３２】
発進装置１０には、タービン２２の前方、タービン２２とフロントカバー１２との間に、ダンパー４０が含まれる。ダンパー４０は、出力ハブ２６によって支えられている。出力ハブ２６は、トランスミッションの入力軸２８に取り付けられている。ダンパー４０は、フロントカバー１２とリアカバー１８の回転速度の変動を吸収し、オートマチックトランスミッションの一層円滑な動作を提供するとともに、車両の乗員に振動が伝わるのを抑える。
【００３３】
ダンパー４０は、出力ハブ２６を含むハブフランジ４４の一部として形成された出力部材４２を含む。図２から明らかなように、タービン２２が、リベット４６または別の締結機構によって、ハブフランジ４４に接続または固定される。
【００３４】
出力部材４２と入力部材５０との間には、ダンパー４０の複数のスプリング４８が円周方向に配置されている。スプリング４８は、フローティング支持板４９によって支持されている。フローティング支持板４９は、スプリングの外周の大部分を囲み、以下でさらに説明するように、クラッチプレート７８とハブフランジ４４との間のねじり運動の間、スプリング４８と一緒に動くように構成されている。支持板４９の軸方向の動きは、互いに固定された保持板５１およびハブフランジ４４によって制限される。したがって、入力部材５０によって入力されるねじり運動は、スプリング４８に伝達され、スプリング４８によって、このねじり運動が円周方向に出力部材４２および出力ハブ２６まで伝達され、出力ハブ２６によって、ねじり運動すなわち回転が、トランスミッションの入力軸２８に伝達される。
【００３５】
ダンパー４０とフロントカバー１２との間に設けられているのは、ロックアップクラッチアセンブリ５２である。締結時、ロックアップクラッチアセンブリ５２は、フロントカバーの回転、したがってエンジンの出力を、タービン２２および出力ハブ２６、したがってトランスミッションの入力軸２８にロックする。ロックアップクラッチアセンブリ５２は、クラッチハブ５４、クラッチドラム５６、内側フリクションプレート５８および外側フリクションプレート６０を含む。クラッチハブ５４は、溶接または他の手段によってフロントカバー１２に固定され、内側フリクションプレート５８を支持する。内側フリクションプレート５８は、スプライン嵌合でクラッチハブ５４に取り付けられている。外側フリクションプレート６０は、内側フリクションプレート５８と交互に配置され、クラッチドラム５６に支持されている。内側フリクションプレート５８と同様に、外側フリクションプレート６０も、スプライン嵌合でクラッチドラム５６に取り付けられている。
【００３６】
クラッチアセンブリ５２の締結は、クラッチピストン６２と、第１すなわち「オン」圧力容器６４および第２すなわち「オフ」圧力容器６６とによって制御される。オン圧力容器６４は、クラッチピストン６２とリアクションプレート６８との間に形成されている。リアクションプレート６８は、出力ハブ２６に取り付けられたフランジ部材７０によって、静止状態で支持されている。オフ圧力容器６８は、クラッチピストン６２とフロントカバー１２との間に形成されている。好ましくは油圧作動油によって、第１の流体経路７２を介してオン圧力容器６４に締結圧がかかると、クラッチピストン６２がフロントカバー１２のほうに移動し、内側フリクションプレート５８が外側フリクションプレート６０と噛み合う。同じく好ましくは油圧作動油によって、第２の流体経路７４を介してオフ圧力容器６６に解放圧がかかると、クラッチピストン６２は、フロントカバー１２から離れてリアクションプレート６８のほうに移動し、内側フリクションプレート５８が外側フリクションプレート６０から離れる。締結圧が加わると、解放圧が加わることはなく、逆も同様である。また、クラッチピストン６２とリアクションプレート６８との間には、Ｏリングなどの流体シール７６が設けられ、オン圧力容器６４が流体的に密閉されている。流体シール７６は、クラッチピストン６２がリアクションプレート６８に対して移動できるようにしたまま、オン圧力容器６４の流体のインテグリティを維持する。
【００３７】
回転トルクは、クラッチプレート７８によって、クラッチアセンブリ５２からダンパー４０に伝達される。これは一体に形成され、一端にクラッチドラム５６、他端に入力部材５０を含む。
【００３８】
クラッチプレート７８およびハブフランジ４４は、ねじり運動のために互いに支持されている。これは、図３に見られるように、クラッチプレート７８に形成された円周方向にのびる溝８０によって、ある程度は達成される。ストップピン８２が溝８０を通ってのび、クラッチプレート７８の外側に取り付けられたリングプレート８４をハブフランジで固定する。こうして、ストップピン８２は、ねじり回転の間、クラッチプレート７８を案内するように動作する。
【００３９】
従来の発進装置とは異なり、クラッチプレート７８は、クラッチドラム５６と入力部材５０とを単一物のワンピース設計で統合したものである。図３から明らかなように、溝８０は、入力部材５０とクラッチドラム５６との半径方向の整列から離れた位置にある。このように、円周方向に見れば、溝８０は、クラッチプレート７８の周囲に半径方向に間隔をあけて設けられた入力部材５０間の位置で、クラッチプレート７８に形成される。入力部材５０とクラッチドラム５６との整列から離れた円周上の位置に溝８０を配置することにより、単一物のクラッチプレート７８の強度が増し、スプリング４８を大きくして、スプリング４８が対応するねじれ角を長くすることが可能になる。結果として、クラッチアセンブリ３２およびダンパー４０によって、発進装置１０のスプリングレートを小さくし、ダンパーの角移動量を増し、ヒステリシストルクを小さくし、軸方向のパッケージングを削減し、騒音および振動性能を抑えることができる。図３から明らかなように、本明細書で規定した構造であれば、４つ未満の入力部材５０をダンパーの周囲に円周方向に間隔をあけて配置し、これに対応して円周方向に延びる４つ未満のスプリング４８を用いて、各々のスプリング４８が互いに隣接する入力部材５０の間にくるようにして、ダンパーを構成することが可能になる。
【００４０】
発進装置１０が動作している間、オフ圧力容器６６からの作動油は、ダンパー４０の周りで半径方向に流れ、円周方向の空間８６に流入する。円周方向の空間８６は、おおむね、フロントカバー１２およびリアカバー１６の半径方向の側面とタービン２２との間に形成される。そうすると、この作動油の一部が、円周方向の空間６８からインペラ１８とタービン２２との間の流体力学的スペースにも流れ、そこで作動油が発進装置１０内でフルードカップリングを形成するように作用する。また、油圧作動油は、フルードカップリングから通路８８に入り、通路９０を通って発進装置１０から出ることができる。一部の作動油は、フルードカップリングから通路９２に入り、通路９４を通って発進装置１０から出ることもある。
【００４１】
上述した作動油の流れは、例示した発進装置１０に対するものであることに留意されたい。厳密な作動油の流れは、発進装置の具体的な設計基準に基づいて変更可能であり、また変化し、装置１０は、例示した３経路構成ではなく、２経路装置または４経路装置で構成されてもよい。
【００４２】
当業者が容易に理解するように、上記の説明は、本発明の原理を組み込んだ発進装置の少なくとも１つの実施の例示として意図されている。以下の特許請求の範囲で規定されるように、本発明の精神から逸脱することなく、本発明に対する改変、変形および変更が可能であるため、この説明は、本発明の範囲または用途を限定することを意図するものではない。
【図１】
2021513042.tif 000003
【図２】
2021513042.tif 000004
【図３】
2021513042.tif 000005
【国際調査報告】
2021513042.tif 000006
2021513042.tif 000007